(57)【要約】【課題】詩歌を、場所（位置情報）を織り込んだ表現やどこで詠んだのかの情報を補完して作成し、所定の投稿先に投稿できるようにする。【解決手段】携帯端末３の素材提供要求生成部３１１は、ＧＰＳ部３０７など通じて取得した場所を示す情報を含む地理語提供要求を生成し、無線通信部３０１を通じてサーバー装置に送信する。これに応じて、サーバー１で地理語ＤＢ１０４が用いられて形成され、携帯端末３に送信されて来る地理語リストを、無線通信部３０１を通じて受信し、素材リスト表示制御部３１２が表示部３０５Ｄに表示する。端末装置の詩歌形成部３１３は、使用者からの指示により、表示部３０５Ｄに表示された地理語リストに含まれる地理語を用いて、詩歌を形成し、ネットワーク２上の所定の投稿先に投稿する。【選択図】図１
2015158820.tif 000002
【特許請求の範囲】
【請求項１】
サーバー装置と端末装置とがネットワークを通じて接続されて形成される位置情報投稿システムであって、
前記サーバー装置は、
少なくとも場所を示す情報に対応付けて、詩歌で用いられる場所を示す地理語を蓄積した地理語データベースと、
前記端末装置からの場所を示す情報を含む地理語提供要求を受信する地理語提供要求受信手段と、
前記地理語提供要求受信手段で受信された前記地理語提供要求に応じて前記地理語データベースの格納情報を用いて形成される地理語リストを、要求元の前記端末装置に送信する地理語送信手段と
を備え、
前記端末装置は、
場所を示す情報を取得する場所情報取得手段と、
前記場所情報取得手段を通じて取得された前記場所を示す情報を含む地理語提供要求を、前記サーバー装置に送信する地理語提供要求送信手段と、
前記サーバー装置から送信されてくる前記地理語リストを受信する地理語リスト受信手段と、
前記地理語リスト受信手段を通じて受信された前記地理語リストを、表示手段に表示させる地理語表示制御手段と、
使用者からの指示により、前記表示手段に表示された前記地理語リストに含まれる地理語を用いて、詩歌を形成する形成手段と、
前記形成手段で形成された詩歌を、前記ネットワーク上の所定の投稿先に投稿する投稿手段と
を備えることを特徴とする位置情報投稿システム。
【請求項２】
請求項１に記載の位置情報投稿システムであって、
前記端末装置は、
前記形成手段で形成された詩歌に対して、前記場所情報取得手段で取得した前記場所を示す情報を付加する付加手段を備え、
前記投稿手段は、前記付加手段で前記場所を示す情報が付加された前記詩歌を投稿することを特徴とする位置情報投稿システム。
【請求項３】
請求項１または請求項２のいずれかに記載の位置情報投稿システムであって、
少なくとも季節を示す情報に対応付けて、詩歌の１つである俳句で用いられる季語を蓄積した季語データベースと、
前記端末装置からの季節を示す情報を含む季語提供要求を受信する季語提供要求受信手段と、
前記季語提供要求受信手段で受信された前記季語提供要求に応じて前記季語データベースの格納情報を用いて形成される季語リストを、要求元の前記端末装置に送信する季語送信手段と、
を備え、
前記端末装置は、
季節を示す情報を取得する季節情報取得手段と、
前記季節情報取得手段を通じて取得された前記季節を示す情報を含む季語提供要求を、前記サーバー装置に送信する季語提供要求送信手段と、
前記サーバー装置から送信されてくる前記季語リストを受信する季語リスト受信手段と、
前記季語リスト受信手段で受信された前記季語リストを、表示手段に表示させる季語表示制御手段と、
を備え、
前記形成手段は、使用者からの指示により、前記表示手段に表示された季語リストに含まれる季語を用いて、俳句を形成することを特徴とする位置情報投稿システム。
【請求項４】
請求項１、請求項２または請求項３のいずれかに記載の位置情報投稿システムであって、
時間、場所、場合の１つ以上に対応付けて、詩歌で用いられる特有の表現を蓄積した表現データベースと、
前記端末装置からの時間、場所、場合の１つ以上を示す情報を含む表現提供要求を受信する表現提供要求受信手段と、
前記表現提供要求受信手段で受信された前記表現提供要求に応じて前記表現データベースの格納情報を用いて形成される表現リストを、要求元の前記端末装置に送信する表現送信手段と
を備え、
前記端末装置は、
時間を示す情報と、場所を示す情報と、場合を示す情報の１つ以上を取得するキー情報取得手段と、
前記キー情報取得手段を通じて取得された情報を含む表現提供要求を、前記サーバー装置に送信する表現要求送信手段と、
前記サーバー装置から送信されてくる前記表現リストを受信する表現リスト受信手段と
前記表現リスト受信手段で受信された前記表現リストを、表示手段に表示させる表現表示制御手段と
を備え、
前記形成手段は、使用者からの指示により、前記表示手段に表示された前記表現リストに含まれる表現を用いて、詩歌を形成することを特徴とする位置情報投稿システム。
【請求項５】
請求項１に記載の位置情報投稿システムであって、
前記詩歌には、日本語以外の外国で表現されたものを含み、
前記サーバー装置において、
前記地理語データベースには、外国語で表現された地理語が登録されており、
前記地理語提供要求に言語種別が付加されている場合に、前記地理語送信手段は、前記言語種別に対応する言語の地理語リストを、要求元に送信し、
前記端末装置において、
言語種別を受け付けるための言語種別受け付け手段を備え、
前記地理語提供要求送信手段は、前記言語種別受け付け手段を通じて受け付けた前記言語種別を含む地理語提供要求を、前記サーバー装置に送信することを特徴とする位置情報投稿システム。
【請求項６】
サーバー装置と端末装置とがネットワークを通じて接続されて形成される位置情報投稿システムの前記サーバー装置であって、
少なくとも場所を示す情報に対応付けて、詩歌で用いられる場所を示す地理語を蓄積した地理語データベースと、
前記端末装置からの場所を示す情報を含む地理語提供要求を受信する地理語提供要求受信手段と、
前記地理語提供要求受信手段で受信された前記地理語提供要求に応じて前記地理語データベースの格納情報を用いて形成される地理語リストを、要求元の前記端末装置に送信する地理語送信手段と
を備えることを特徴とする位置情報投稿システムのサーバー装置。
【請求項７】
サーバー装置と端末装置とがネットワークを通じて接続されて形成される位置情報投稿システムの前記端末装置であって、
前記サーバー装置は、少なくとも場所を示す情報に対応付けて、詩歌で用いられる場所を示す地理語を蓄積した地理語データベースと、前記端末装置からの少なくとも場所を示す情報を含む地理語提供要求を受信する地理語提供要求受信手段と、前記地理語提供要求受信手段で受信された前記地理語提供要求に応じて前記地理語データベースの格納情報を用いて形成される地理語リストを、要求元の前記端末装置に送信する地理語送信手段とを備えるものであり、
場所を示す情報を取得する場所情報取得手段と、
前記場所情報取得手段を通じて取得された前記場所を示す情報を含む地理語提供要求を、前記サーバー装置に送信する地理語提供要求送信手段と、
前記サーバー装置から送信されてくる前記地理語リストを受信する地理語リスト受信手段と、
前記地理語リスト受信手段を通じて受信された前記地理語リストを、表示手段に表示させる地理語表示制御手段と、
使用者からの指示により、前記表示手段に表示された前記地理語リストに含まれる地理語を用いて、詩歌を形成する形成手段と、
前記形成手段で形成された詩歌を前記ネットワーク上の所定の投稿先に投稿する投稿手段と
を備えることを特徴とする位置情報投稿システムの端末装置。
【請求項８】
サーバー装置と端末装置とがネットワークを通じて接続されて形成される位置情報投稿システムで用いられる位置情報投稿方法であって、
前記サーバー装置は、少なくとも場所を示す情報に対応付けて、詩歌で用いられる場所を示す地理語を蓄積した地理語データベースを備えており、
前記サーバー装置においては、
前記端末装置からの少なくとも場所を示す情報を含む地理語提供要求を、地理語提供要求受信手段を通じて受信する地理語提供要求受信工程と、
前記地理語提供要求受信工程において前記地理語提供要求を受信した場合に、前記地理語提供要求に応じて前記地理語データベースの格納情報を用いて形成される地理語リストを、地理語送信手段が要求元の端末装置に送信する地理語送信工程と
を有し、
前記端末装置においては、
場所情報取得手段を通じて場所を示す情報を取得する場所情報取得工程と、
前記場所情報取得工程において取得した前記場所を示す情報を含む地理語提供要求を、地理語提供要求送信手段を通じて前記サーバー装置に送信する地理語提供要求送信工程と、
前記サーバー装置から送信されてくる前記地理語リストを、地理語リスト受信手段を通じて受信する地理語リスト受信工程と、
前記地理語リスト受信工程において受信した前記地理語リストを、地理語表示制御手段が表示手段に表示させる地理語表示制御手段と、
使用者からの指示により、前記表示手段に表示された前記地理語リストに含まれる地理語を用いて、形成手段が、詩歌を形成する形成工程と、
前記形成工程で形成した詩歌を、投稿手段が前記ネットワーク上の所定の投稿先に投稿する投稿工程と
を有することを特徴とする位置情報投稿方法。
【発明の詳細な説明】
【技術分野】
【０００１】
この発明は、インターネットを通じて、自分の現在位置などの位置情報を、簡便に通知できるようにするシステム、装置、方法に関する。
【背景技術】
【０００２】
スマートフォンなどと呼ばれる高機能携帯電話端末やタブレットＰＣ（Personal Computer）などの携帯通信端末を用いて、種々のＳＮＳ（Social Networking Service）を利用している人は多い。多くのＳＮＳでは、使用者が携帯通信端末を通じて自己の現在位置を通知することにより、当該現在位置近傍の施設の一覧リストを提供するなどして、場所に紐付いた情報を手軽に投稿できるようにする機能を備えている。当該機能は、チェックイン機能などと呼ばれている。
【０００３】
ＳＮＳのチェックイン機能は、使用者の現在位置に紐付いた施設（店舗など）の情報を投稿するには便利である。しかし、場所に紐付いた情報を投稿すると行った目的以外にも、使用者が訪れた場所（エリアなどを含む）を友人などに何かしらの趣向を凝らして知らせることができれば、通知する側と通知される側の双方にとって有益なツールとなり得る。
【０００４】
使用者が訪れた場所を、趣向を凝らして知らせるという観点から考えてみると、俳句、川柳、短歌といった詩歌の投稿が考えられる。俳句、川柳、短歌においては、場所（位置情報）を織り込んだ表現やどこで詠んだかが重要なポイントになっている。松尾芭蕉の著名な紀行文である奥の細道には、旅で訪れた先々で詠んだ俳句が多く収められており、場所を織り込んだ表現が用いられた俳句も多く、また、どこで詠んだかを示す情報も書き添えられており、俳句を理解する上での重要なポイントになっている。
【０００５】
俳句、川柳、短歌は定型詩であり、誰でも作れそうであるが、実際に作るとなると難しい。このため、後に記す特許文献１には、俳句、川柳、短歌などの創作の支援機能を有する情報処理装置などに関する発明が開示されている。特許文献１に記載の発明は、有名俳句のライブラリや自作俳句のライブラリを備え、季節、内容、有名俳句か自作俳句かなどを指定して、基本となる俳句を表示し、これに修正を加えることにより、新たな俳句の作成を可能にするものである。
【先行技術文献】
【特許文献】
【０００６】
【特許文献１】特開２００１−１０９７３９号公報
【発明の概要】
【発明が解決しようとする課題】
【０００７】
上述した特許文献１に記載の発明は、俳句、川柳、短歌といった詩歌の創作に不慣れな使用者であっても、過去に操作された詩歌からインスピレーションを得て、創作規則に則った詩歌を簡単に創作できる点で有効である。しかし、特許文献１に記載の発明では、場所（位置情報）を織り込んだ表現を用いて詩歌を作ろうとすると、結局、使用者が独自に詩歌の創作を行わなければならない。このため、例えば、外出した先々で、その場所に関する情報を織り込んだ表現を用いた詩歌を創作する場合には、特許文献１に記載の発明では目的に合致した詩歌の創作はできない。
【０００８】
以上のことに鑑み、この発明は、俳句、川柳、短歌といった詩歌を、場所（位置情報）を織り込んだ表現やどこで詠んだのかの情報を補って作成し、所定の投稿先に投稿できるようにすることを目的とする。
【課題を解決するための手段】
【０００９】
上記課題を解決するため、請求項１に記載の発明の位置情報投稿システムは、
サーバー装置と端末装置とがネットワークを通じて接続されて形成される位置情報投稿システムであって、
前記サーバー装置は、
少なくとも場所を示す情報に対応付けて、詩歌で用いられる場所を示す地理語を蓄積した地理語データベースと、
前記端末装置からの場所を示す情報を含む地理語提供要求を受信する地理語提供要求受信手段と、
前記地理語提供要求受信手段で受信された前記地理語提供要求に応じて、前記地理語データベースの格納情報が用いられて形成される地理語リストを、要求元の前記端末装置に送信する地理語送信手段と
を備え、
前記端末装置は、
場所を示す情報を取得する場所情報取得手段と、
前記場所情報取得手段を通じて取得された前記場所を示す情報を含む地理語提供要求を、前記サーバー装置に送信する地理語提供要求送信手段と、
前記サーバー装置から送信されてくる前記地理語リストを受信する地理語リスト受信手段と、
前記地理語リスト受信手段を通じて受信された前記地理語リストを、表示手段に表示させる地理語表示制御手段と、
使用者からの指示により、前記表示手段に表示された前記地理語リストに含まれる地理語を用いて、詩歌を形成する形成手段と、
前記形成手段で形成された詩歌を、前記ネットワーク上の所定の投稿先に投稿する投稿手段と
を備えることを特徴とする。
【００１０】
請求項１に記載の発明の位置情報投稿システムによれば、当該システムのサーバー装置は、場所を示す情報に対応付けて、詩歌で用いられる場所を示す地理語を蓄積する地理語データベースを備える。サーバー装置は、地理語要求受信手段を通じて端末装置からの場所を示す情報を含む地理語提供要求を受信する。サーバー装置は、受信した地理語要求に応じて地理語データベースの格納情報が用いられて形成される地理語リストを、地理語送信手段を通じて要求元の端末装置に送信する。
【００１１】
一方、当該システムの端末装置は、場所情報取得手段を通じて場所を示す情報を取得し、取得した場所を示す情報を含む地理語提供要求を、地理語提供要求生成手段が形成し、これを地理語提供要求送信手段がサーバー装置に送信する。これに応じて、サーバー装置から送信されてくる地理語リストを、端末装置は、地理語リスト受信手段を通じて受信し、当該地理語リストを地理語表示制御手段が表示手段に表示する。端末装置の形成手段は、使用者からの指示により、表示手段に表示された地理語リストに含まれる地理語を用いて、詩歌を形成する。投稿手段は、形成手段で形成した詩歌をネットワーク上の所定の投稿先に投稿する。
【００１２】
このように、投稿された詩歌には、端末装置の場所情報取得手段で取得された場所を示す情報に応じた場所を示す地理語が用いられている。すなわち、詩歌を、場所（位置情報）を織り込んだ表現を補完して作成し、所定の投稿先に投稿できる。
【発明の効果】
【００１３】
この発明によれば、詩歌を、場所（位置情報）を織り込んだ表現やどこで詠んだのかを示す情報を補って作成し、所定の投稿先に投稿できる。このため、例えば、外出した先々で、その場所に関する情報を織り込んだ表現を用いた詩歌を簡単に創作して投稿することができ、詩歌を利用した場所（位置情報）の投稿が実現できる。
【図面の簡単な説明】
【００１４】
【図１】実施の形態の位置情報投稿システムの概要及び詩歌作成支援サーバー装置１と携帯端末３の構成例を説明するためのブロック図である。
【図２】地理語ＤＢ１０４と季語ＤＢ１０５の構成例を説明するための図である。
【図３】表現ＤＢ１０６の構成例を説明するための図である。
【図４】素材提供要求生成部３１１が生成する素材提供要求の構成例を説明するための図である。
【図５】詩歌形成部３１３が形成する投稿データの構成例を説明するための図である。
【図６】携帯端末３の詩歌作成投稿処理を説明するためのフローチャートである。
【図７】図６に続くフローチャートである。
【図８】該詩歌作成投稿処理において用いられる画面表示の例を示す図である。
【図９】該詩歌作成投稿処理において用いられる画面表示の例を示す図である。
【図１０】サーバー１の詩歌作成支援処理を説明するためのフローチャートである。
【発明を実施するための形態】
【００１５】
以下、図を参照しながら、この発明のシステム、装置、方法の一実施の形態について説明する。この発明のシステム、装置、方法は、俳句、川柳、短歌といった詩歌を利用して、使用者に関する位置情報を投稿し、これを利用可能にしようとするものである。俳句、川柳、短歌は、日本固有の文学であるが、近年においては、英語などの外国語により表現した３行詩が「Ｈａｉｋｕ」と呼ばれて作成される場合もある。
【００１６】
この発明は、日本語の俳句や川柳に相当する外国語で作成される３行詩や短歌に相当する外国語で作成される５行詩を利用して、使用者に関する位置情報を投稿することも可能である。また、言語に拘わり無く、似た言葉や語尾が同じ言葉を繰り返す、韻（ライム）を踏むようにして作成した詩を、口語に近い抑揚をつけて発声する唱法であるヒップホップ（ラップ）と呼ばれる音楽手法も広く一般に浸透している。このように、韻を踏むようにして作成した詩（以下、この明細書では、ヒップホップ（ラップ）と記載する）を作成する場合にも、この発明を利用できる。
【００１７】
しかし、以下においては説明を簡単にするため、まず、日本語により作成される俳句、川柳、短歌といった詩歌を利用して、使用者に関する位置情報を投稿する場合を例にして説明する。特に、俳句を作成して投稿する場合を例にして、具体的に説明する。
【００１８】
［位置情報投稿システムの概要］
図１は、この実施の形態の位置情報投稿システムの概要と、当該位置情報投稿システムを構成する詩歌作成支援サーバー装置１と携帯端末３の構成例を説明するためのブロック図である。この実施の形態の位置情報投稿システムは、詩歌作成支援サーバー装置（以下、単にサーバーと記載する）１と携帯端末３とが、ネットワーク２を通じて接続されて構成される。さらに、ネットワーク２には、投稿サイト等４が接続されている。
【００１９】
ネットワーク２は、主にはインターネットであるが、携帯電話網、公衆交換電話網などの広域通信網（広域ネットワーク）やＷｉ−Ｆｉ（登録商標）規格の無線ＬＡＮなどの携帯端末３とインターネットとを接続する種々のネットワークをも含むものである。投稿サイト等４は、ネットワーク２上に設けられた詩歌の投稿サイトや種々のＳＮＳなどである。
【００２０】
サーバー１は、俳句、川柳、短歌などの詩歌を作成する場合に用いられる地理語、季語、特有の表現といった詩歌の素材を多数保持し、携帯端末３からの要求に応じて、詩歌の素材を提供し、携帯端末の使用者の詩歌の作成（創作）を支援する。ここで、地理語は、場所に関係する単語（文言）であり、具体的には、地名、名所旧跡の名称、河川、山岳、湖沼、海岸、港などの名称、道路や交差点の名称など、緯度経度によって特定可能な場所に付けられた名称や通称などである。
【００２１】
携帯端末３は、使用者（エンドユーザー）によって携帯されて利用される携帯型の通信端末であり、例えば、スマートフォンなどと呼ばれる高機能携帯電話端末やタブレットＰＣなどである。携帯端末３は、例えば自機の現在位置などの場所を示す情報を含む地理語提供要求を形成してサーバー１に送信する。サーバー１は、携帯端末３からの地理語提供要求に含まれる場所を示す情報に応じた地理語のリストを作成し、これを要求元の携帯端末３に返信する。携帯端末３は、サーバー１からの地理語リストを表示部に表示して使用者に提示し、使用者の指示に応じた地理語を用いて詩歌を作成し、ネットワーク２を通じて所定の投稿サイト等４に投稿する。
【００２２】
この場合、作成した詩歌には、携帯端末３からサーバー１に提供した場所を示す情報に応じた地理語が含められるため、投稿された詩歌によって、投稿者である携帯端末３の使用者の所在位置が把握できる。なお、投稿される詩歌に対して、例えば現在位置などの場所を示す情報を、地理語の他に付加することにより、より正確に携帯端末３の使用者の現在位置を通知することも可能にされる。このように、この実施の形態の位置情報投稿システムは、俳句、川柳、短歌といった詩歌を利用することにより、従来にない、趣向を凝らした位置情報投稿システムを実現している。
【００２３】
［詩歌作成支援サーバー装置１の構成例］
次に、サーバー１の構成例について説明する。図１に示した構成を有するサーバー１において、通信Ｉ／Ｆ（Ｉ／Ｆはインターフェースの略称。）１０１は通信機能を、制御部１０２はサーバー１の各部を制御する機能を、記憶装置１０３は情報記憶保持機能を実現する。
【００２４】
地理語ＤＢ（ＤＢはData Baseの略称。以下同じ。）１０４、季語ＤＢ１０５、表現ＤＢ１０６のそれぞれは、ハードディスクなどの大容量記録媒体に作成される。地理語ＤＢ１０４、季語ＤＢ１０５、表現ＤＢ１０６のそれぞれには、既存の俳句、川柳、短歌などの詩歌を形態素解析するなどして得られる地理語、季語、特有の表現が、時間（Time）、場所（Place）、場合（Occasion）に合わせて格納される。
【００２５】
地理語ＤＢ１０４、季語ＤＢ１０５、表現ＤＢ１０６を形成するために解析対象となる既存の俳句、川柳、短歌は、インターネット上の種々のサイトに公開されて自由な利用が可能にされているものである。以下においては、説明を簡単にするため、江戸時代の著名な俳人松尾芭蕉の俳句である、「五月雨を  あつめて早し  最上川」と「涼しさやほの三か月の羽黒山」を解析対象として用いた場合を例にして具体的に説明する。
【００２６】
なお、過去の著名な作者の詩歌だけでなく、インターネット上に開示されている時流の俳句、川柳、短歌などの詩歌を解析対象として、地理語ＤＢ１０４、季語ＤＢ１０５、表現ＤＢ１０６を整えてもよい。時流の詩歌を解析対象とした場合には、詩歌の素材として時流に合ったものを収集して蓄積し、提供できる。
【００２７】
図２（Ａ）は、地理語ＤＢ１０４の構成例を説明するための図である。地理語ＤＢ１０４には、図２（Ａ）に示すように、時間（Ｔ）、場所（Ｐ）、場合（Ｏ）に合わせて、俳句、川柳、短歌をなどの詩歌を形態素解析するなどして得られた地理語が格納される。また、種別、文体、備考の各情報も付加される。解析対象の詩歌についての、時間（Ｔ）、場所（Ｐ）、場合（Ｏ）のそれぞれの情報は、形態素解析することにより得られた例えば季語や地理語などの単語に基づいて、あるいは、解析対象の詩歌に付随する解説文や添え書きなどの付随情報から抽出できる。
【００２８】
具体的に、時間（Ｔ）を示す情報は、解析対象の詩歌の作成時期や作成のために想定された時期など、詩歌に関する時期についての情報であり、例えば、季節、年月日、時刻を示す情報である。場所（Ｐ）を示す情報は、解析対象の詩歌の作成場所や作成のために想定された場所に関する情報であり、例えば、住所、緯度経度を示す情報である。場合（Ｏ）を示す情報は、解析対象となった詩歌がどのような状況下で、あるいは、どのような場面を想定して作成されたものかを示す情報である。
【００２９】
地理語は、既存の俳句、川柳、短歌などの詩歌を形態素解析して意味のある単語に区切り、後述する地図ＤＢ１１１の地名などとの突合せを行うことにより抽出される場所に関係する単語である。種別は、解析対象の詩歌が、俳句なのか、川柳なのか、短歌なのかを示す情報である。文体には、口語体か文語体か、あるいは、口語体と文語体に共通かを示す情報である。備考には、例えば、解析対象の詩歌の作者名など、必要な情報が格納される。
【００３０】
図２（Ａ）に示した地理語ＤＢ１０４には、解析対象となった俳句である「五月雨を  あつめて早し  最上川」と「涼しさやほの三か月の羽黒山」を解析することにより得られた地理語として「最上川」と「羽黒山」が登録されている場合を示している。
【００３１】
地理語である「最上川」についての時間（Ｔ）を示す情報には、例えば季語に応じて定まる季節を示す「夏」と、解析対象の俳句に付されている発句日（作成日）を示す「旧暦５月２９日」とが付されている。なお、時刻に関する情報は得られなかったため空欄になっている。また、場所（Ｐ）を示す情報には、解析対象の俳句に付されている発句場所の住所を示す「山形県新庄市」と、山形県新庄市の例えば中心位置の緯度経度とが付されている。また、場合（Ｏ）を示す情報として、例えば、原典が紀行文であることに基づいて「旅行」との情報が付されている。
【００３２】
同様に、地理語である「羽黒山」についての時間（Ｔ）を示す情報には、例えば季語に応じて定まる季節を示す「夏」と、解析対象の俳句に付されている発句日（作成日）を示す「旧暦６月５日」と、三日月との単語から時刻を示す情報として「夜」が付されている。また、場所（Ｐ）を示す情報には、解析対象の俳句に付されている発句場所の住所を示す「山形県鶴岡市」と、山形県鶴岡市の例えば中心位置の緯度経度とが付されている。また、場合（Ｏ）を示す情報として、原典が紀行文であることに基づいて「旅行」との情報が付されている。
【００３３】
また、種別には、解析対象の俳句が掲載されていた掲載サイトの情報などから解析対象が「俳句」であることを示す情報が格納されている。また、文体には、地理語は、通常、口語体でも文語体でも用いることができるため空欄になっている。備考には、図には示していないが、当該サイトの情報、あるいは、俳句に付随する作者を示す情報から「芭蕉」との情報などが格納される。このようにして、解析対象の俳句、川柳、短歌などの詩歌自体やその付随情報に基づいて、地理語がＴＯＰに合わせてデータベース化されたものが地理語ＤＢ１０４である。
【００３４】
図２（Ｂ）は、季語ＤＢ１０５の構成例を説明するための図である。季語ＤＢ１０５には、図２（Ｂ）に示すように、時間（Ｔ）、場所（Ｐ）、場合（Ｏ）に合わせて、俳句、川柳、短歌などの詩歌の内、特に俳句を形態素解析するなどして得られる季語が格納される。また、地理語ＤＢ１０４の場合と同様に、種別、文体、備考の各情報も付加される。
【００３５】
図２（Ｂ）に示した例では、解析対象の俳句である「五月雨を  あつめて早し  最上川」と「涼しさやほの三か月の羽黒山」という俳句から、「五月雨」と「凉し」という季語が抽出されて、季語ＤＢ１０５に登録されている場合を示している。
【００３６】
また、図２（Ｂ）において、解析対象の俳句についての、時間（Ｔ）、場所（Ｐ）、場合（Ｏ）のそれぞれの情報は、上述した地理語ＤＢ１０４で説明したものと同様にして得られる情報である。季語は、既存の俳句を形態素解析して意味のある単語に区切り、後述する歳時記ＤＢ１１２の季語などとの突合せを行うことにより抽出される、俳句で用いられる季節に結び付けられている語である。なお、季語の「五月雨」は口語体でも文語体でも用いられるため文体の欄は空欄とされている。また、季語の「涼し」は、文語体の表現として把握され、文体の欄には文語体であることを示す情報が格納されている。
【００３７】
図３は、表現ＤＢ１０６の構成例を説明するための図である。表現ＤＢ１０６には、図３に示すように、時間（Ｔ）、場所（Ｐ）、場合（Ｏ）に合わせて、俳句、川柳、短歌などの詩歌を形態素解析するなどして得られた特有の表現が格納される。また、地理語ＤＢ１０４の場合と同様に、種別、文体、備考の各情報も付加される。また、解析対象の詩歌についての、時間（Ｔ）、場所（Ｐ）、場合（Ｏ）のそれぞれの情報は、上述した地理語ＤＢ１０４で説明したものと同じある。
【００３８】
図３に示した例では、上述した「五月雨を  あつめて早し  最上川」と「涼しさやほの三か月の羽黒山」という俳句から、「あつめて早し」と「ほの三日月」という特有の表現が抽出されて、表現ＤＢ１０６に登録されている場合を示している。
【００３９】
特有の表現は、この実施の形態では、例えば、地理語や季語以外の表現部分を意味する。従って、この実施の形態においては、既存の詩歌を形態素解析して意味のある単語に区切り、地理語や季語を除いた部分が、特有の表現として抽出される。もちろん、これは一例であり、特有の表現について更に条件を付すこともできる。例えば、名詞だけの場合には特有の表現にはしないようにするなどのことが可能である。また、文体の欄には、いずれも文語体であることを示す情報が格納されている。
【００４０】
ＤＢ形成部１０７は、上述した地理語ＤＢ１０４、季語ＤＢ１０５、表現ＤＢ１０６に蓄積される情報を形成する処理を行う。具体的にＤＢ形成部１０７は、ネットワーク２上に設けられている俳句、川柳、短歌などの詩歌の紹介サイトや投稿サイトにアクセスし、サイトの掲載情報などから詩歌の種別を特定し、解析対象となる詩歌と、その付随情報を得る。ＤＢ形成部１０７は、解析対象の詩歌については、上述もしたように形態素解析を通じて単語を抽出し、抽出した単語と地図ＤＢ１１１、歳時記ＤＢ１１２、国語辞書（図示せず）の登録情報とのマッチングを行って、地理語、季語、特有の表現を抽出する。
【００４１】
更に、ＤＢ形成部１０７は、抽出した単語や付随情報から、上述もしたように時間（Ｔ）、場所（Ｐ）、場合（Ｏ）の各情報を抽出する。ＤＢ形成部１０７は、このようにして抽出したＴＰＯと、抽出した地理語、季語、特有の表現を合わせて（対応付けて）、地理語は地理語ＤＢ１０４に、季語は季語ＤＢ１０５に、特有の表現は表現ＤＢ１０６に登録する。
【００４２】
作成条件取得部１０８は、詳しくは後述する携帯端末３から送信され、通信Ｉ／Ｆ１０１を通じて受信される素材提供要求から、詩歌の作成条件を取得し、これを素材抽出部１０９に通知する。詩歌の作成条件は、詩歌の素材を抽出するための抽出条件として利用されるものであり、携帯端末３の使用者が作成しようとしている詩歌の種別、文体の種別、テーマ、季節に関する情報、場所に関する情報などからなるものである。
【００４３】
素材抽出部１０９は、作成条件取得部１０８からの作成条件に基づいて、地理語ＤＢ１０４からは１以上の地理語を、表現ＤＢ１０６からは１以上の特殊な表現を抽出する。また、素材抽出部１０９は、作成しようとしている詩歌が俳句である場合には、抽出条件に基づいて、季語ＤＢ１０５から１以上の季語を抽出する。素材抽出部１０９は、抽出条件に従って抽出した地理語、特殊な表現、季語を、要求元の携帯端末に通信Ｉ／Ｆ１０１を通じて送信する。
【００４４】
チェック処理部１１０は、詩歌を作成するための素材を提供した携帯端末３において作成された詩歌の提供を受けて、種々のチェックを行い、チェック結果を当該携帯端末３に提供する。これにより、当該携帯端末３において、作成した詩歌に存在する誤りや不都合を、簡単かつ適切に修正できる。なお、チェック処理部１１０において行われるチェックには、モーラ（構文）チェック、差別用語検査、作成された詩歌が俳句の場合には季語の有無チェックなどである。
【００４５】
地図ＤＢ１１１は、地図を形成するための情報や地図に記載される注記（注釈）などが蓄積されたものであり、上述もしたようにＤＢ形成部１０７が地理語を抽出するために用いられる。歳時記ＤＢ１１２は、季語や季語に関する解説などが蓄積されたものであり、上述もしたようにＤＢ形成部１０７が季語を抽出するために用いられる。なお、図１には図示していないが、サーバー１は、国語辞書、カタカナ辞書など、地理語、季語、特有の表現を抽出するために用いられる種々のデータベースや種々の辞書が設けられる。
【００４６】
このように、サーバー１は、地理語ＤＢ１０４、季語ＤＢ１０５、表現ＤＢ１０６を備え、携帯端末３からの素材提供要求を受け付けて、当該素材提供要求に応じた詩歌の作成素材（素材リスト）を当該携帯端末３に提供する。これにより、携帯端末３の使用者による詩歌の作成を支援する。また、サーバー１は、携帯端末３からの使用者により作成された詩歌の提供を受けて、これをチェックし、当該詩歌に存在する誤りや不都合を修正することを支援する。
【００４７】
特に、サーバー１は、詩歌の作成素材として、携帯端末３からの素材提供要求に含まれる場所に関する情報に応じた地理語の提供ができる。これにより、携帯端末３の使用者が、例えば、詩歌の作成場所に関係する地理語を含めた詩歌の作成を支援できる。
【００４８】
［携帯端末３の構成例］
次に、携帯端末３の構成例について説明する。図１に示した構成を有する携帯端末３において、送受信アンテナ３０１Ａ及び無線通信部３０１は通信機能を、制御部３０２はサーバー１の各部を制御する機能を、記憶装置３０３は情報記憶保持機能を実現する。操作部３０４と、表示部３０５Ｄ及びタッチセンサ３０５Ｓとからなるタッチパネル３０６は、ユーザーインターフェースを構成する。ＧＰＳアンテナ３０７Ａ及びＧＰＳ部３０７は、現在位置取得機能を実現する。時間情報提供部３０８は、現在年月日、現在曜日、現在時刻を提供する。
【００４９】
素材提供要求生成部３１１は、タッチパネル３０６を通じて受け付けた使用者からの入力情報に基づいて、素材提供要求を形成し、これを無線通信部３０１及び送受信アンテナ３０１Ａを通じて、サーバー１に送信する。図４は、素材提供要求生成部３１１が生成する素材提供要求の構成例を説明するための図である。
【００５０】
図４において、アドレスは、例えばＩＰアドレスなどの携帯端末３を一意に特定可能な識別情報である。詩歌種別は、俳句、川柳、短歌の別を示す情報である。文体種別は、文語体、口語体、文語体と口語体の混合のいずれかを示す情報である。テーマは作成する詩歌のテーマである。季節は現在の季節を示す情報である。現在年月日、現在時刻は、当該要求の生成タイミングにおいて、時間情報提供部３０８から提供される情報である住所等は、現在位置に対応する住所であり、緯度経度は、現在位置に対応する緯度経度である。
【００５１】
素材リスト表示処理部３１２は、図４に示した構成例の素材提供要求に応じて、サーバー１から提供される詩歌作成のための素材リストを取得し、これを表示する態様にして表示部３０５Ｄに表示する処理を行う。詩歌形成部３１３は、サーバー１かられ提供される詩歌の素材を用い、携帯端末３の使用者の指示に応じて、俳句、川柳、短歌などの詩歌を作成する。
【００５２】
さらに、詩歌形成部３１３は、作成した詩歌をサーバー１に提供し、種々のチェックを受けるようにし、そのチェック結果を表示部３０５Ｄに表示して使用者による修正を可能にする。そして、詩歌形成部３１３は、完成した詩歌を含む投稿データを形成して、これを無線通信部３０１及び送受信アンテナ３０１Ａを通じて、ネットワーク２上の投稿サイト等４に投稿する処理も行う。
【００５３】
図５は、詩歌形成部３１３が形成する投稿データの構成例を説明するための図である。図５において、アカウントは、投稿先に対して登録した携帯端末３の使用者の識別情報である。投稿日、投稿時刻は、当該投稿データの形成時に、時間情報提供部３０８から提供される情報である。投稿場所は、当該投稿データの形成時に、ＧＰＳ部３０７を通じて取得した緯度経度である。投稿詩歌は、詩歌形成部３１３の機能を用いて形成した俳句、川柳、短歌などの詩歌である。
【００５４】
作成場所は、例えば、「自宅にて」、「横浜、山下公園にて」といった携帯端末３の使用者が入力した詩歌の作成場所を示す情報である。作成場所は、例えば、ＧＰＳ部３０７を通じて取得される現在位置を示す緯度経度に応じた地名や住所等を自動的に入力するようにし、必要に応じて修正したり、書き換えたりする構成とすることもできる。また、自宅の緯度経度と、例えば、「渋谷の自宅にて」との場所を示す情報を記憶装置３０３に登録しておき、これを利用するように構成することもできる。
【００５５】
また、作成者は、携帯端末３の使用者の氏名、雅号、ペンネームといった作者を示す情報である。作成者を示す情報については、予め記憶装置３０３に記憶させておき、これを用いることもできる。このように、作成場所や作成者に関する情報は、携帯端末３に用意される詩歌の作成と投稿を支援するアプリケーションの設定機能を用いて使用者自身が設定できるように構成可能である。
【００５６】
なお、図５に示すように、この実施の形態において、詩歌形成部３１３で形成される投稿データには、詩歌に含めた地理語と、緯度経度で示される投稿場所に対応する住所等も含められている。
【００５７】
このように、携帯端末３は、サーバー１からの詩歌の素材の提供を受けて、詩歌を作成し、作成した詩歌についてサーバー１のチェックを受けて完成させ、完成させた詩歌を所定の投稿先に投稿できる。そして、作成する詩歌には、作成場所に由来する地理語を簡単に含めることができる。また、必要に応じて、作成場所を示す情報を付加することもできるようになっている。
【００５８】
［携帯端末３の処理］
次に、上述した構成の携帯端末３で実行される詩歌作成投稿処理について説明する。図６、図７は、詩歌作成投稿処理を説明するためのフローチャートであり、図８、図９は、当該詩歌作成投稿処理において用いられる画面表示の例を示す図である。図６、図７のフローチャートに示す処理を行うアプリケーションプログラムは、サーバー１などから事前に提供され、携帯端末３の記憶装置３０３に保持されているものとする。
【００５９】
携帯端末３の表示部３０５Ｄに表示される所定のメニューから詩歌作成投稿処理の実行に対応する選択項目を選択すると、制御部３０２は該当アプリケーションプログラムを記憶装置３０３から読み出して実行し、図６、図７に示すフローチャートの処理を開始する。まず、制御部３０２は、予め設定されてＵＲＬ（Uniform Resource Locator）を用いてサーバー１の詩歌作成支援サイトにアクセスし、入力画面などの必要情報を取得する（ステップＳ１０１）。
【００６０】
次に、制御部３０２は、ステップＳ１０１で取得した入力画面を表示部３０５Ｄに表示し、タッチパネル３０６を通じて、詩歌についての作成条件を受け付ける処理を行う（ステップＳ１０２）。図８（Ａ）、（Ｂ）は、ステップＳ１０２で表示部３０５Ｄに表示される入力画面の一例を説明するための図である。
【００６１】
ステップＳ１０２において、制御部３０２は、まず、図８（Ａ）に示す入力画面１を表示し、作成する詩歌の種別、用いる文体の種別、詩歌のテーマを受け付ける。図８（Ａ）に示した入力画面１において、作成する詩歌の種別と用いる文体の種別は、目的とする選択項目の表示欄に指などの指示体でタップ操作することにより選択できる。また、詩歌のテーマは、当該入力欄を指などでタップ操作することにより、文字入力のためのソフトウェアキーボードを表示し、当該ソフトウェアキーボードを通じて入力できる。
【００６２】
図８（Ａ）に示した入力画面１では、作成する詩歌の種別としては「俳句」が、用いる文体の種別としては「文語体」が、詩歌のテーマとしては「夏のさわやかさ」が入力された状態を示している。また、図８（Ａ）の入力画面１においては、下端部に詩歌作成投稿処理を終了させるための「終了」ボタンと、図８（Ｂ）に示す入力画面２を用いた条件入力の受け付け処理に進むための「次へ」ボタンが設けられており、これらの操作ボタンに対する操作入力も受け付けられる。
【００６３】
図８（Ａ）の入力画面１を用いた作成条件の受け付けが完了し、「次へ」ボタンが操作されると、制御部３０２は、図８（Ｂ）に示す入力画面２を表示し、季節に関する情報や場所に関する情報を受け付ける。季節に関する情報は、季節、年月日、時刻の情報からなり、基本的には、携帯端末３の時間情報提供部３０８が提供する現在年月日、現在時刻に基づいて自動的に入力される。また、場所に関する情報は、住所と緯度経度からなり、基本的には、携帯端末３のＧＰＳ部３０７が提供する現在位置に基づいて自動的に入力される。
【００６４】
なお、季節に関する情報と場所に関する情報については、目的とする入力欄上をタップ操作することにより、ソフトウェアキーボードを表示させ、タッチパネル３０６を通じて使用者が手入力することもできる。これにより、現在日時や現在位置に限定されることなく、過去に旅行で訪れた場所を題材として詩歌の作成を行うこともできる。この場合の場所に関する緯度経度は、入力された住所に基づいて、例えば、サーバー１から対応する緯度経度を取得できる。
【００６５】
また、図８（Ｂ）に示した入力画面２においては、下端部に入力画面１を通じての条件入力の受け付けに戻るための「戻る」ボタンと、入力画面１、２を通じての条件入力が完了した場合に操作される「ＯＫ」ボタンとが設けられている。このように入力画面１、２を通じて、作成しようとしている詩歌についての作成条件の入力が受け付けられる。
【００６６】
ステップＳ１０２の作成条件受付処理を実行した後、制御部３０２は、図８（Ａ）、（Ｂ）に示した入力画面１、２を通じて必要な情報が入力され、入力画面２において「ＯＫ」ボタンが操作されたか否かを判別する（ステップＳ１０３）。ステップＳ１０３の判別処理において、「ＯＫ」ボタンは操作されていないと判別したときには、制御部３０２は、入力画面１において、「終了」ボタンが操作されたか否かを判別する（ステップＳ１０４）。
【００６７】
ステップＳ１０４の判別処理において、「終了」ボタンは操作されていないと判別したときには、ステップＳ１０２からの処理を行うようにし、図８（Ａ）、（Ｂ）に示した入力画面１、２を用いた作成条件受付処理を続行する。ステップＳ１０４の判別処理において、「終了」ボタンが操作されたと判別したときには、図７のステップＳ１２３の終了処理に進む。
【００６８】
ステップＳ１０３の判別処理において、「ＯＫ」ボタンが操作されたと判別したときには、制御部３０２は素材提供要求生成部３１１を制御し、ステップＳ１０２で受け付けた作成条件を含む素材提供要求を生成し、これをサーバー１に送信する（ステップＳ１０５）。ステップＳ１０５で生成され、送信される素材提供要求は、図４を用いて説明した構成のものである。
【００６９】
携帯端末３から素材提供要求がサーバー１に送信されると、サーバー１から当該素材提供要求に応じて、地理語、季語、特有の表現からなる素材リストを送信してくる。携帯端末３は無線通信部３０１を通じて当該素材リストを受信する（ステップＳ１０６）。受信された素材リストは素材リスト表示処理部３１２が取得して、これを表示部３０５Ｄに表示する（ステップＳ１０７）。
【００７０】
図８（Ｃ）は、ステップＳ１０７において、素材リスト表示処理部３１２が表示部３０５Ｄに表示する素材リスト画面の表示例を示している。この実施の形態において素材リスト表示処理部３１２は、サーバー１から提供される素材リストを、図８（Ｃ）に示すように、地理語リスト、季語リスト、特有の表現リストにまとめ直し、これらを表示部３０５Ｄに表示する。なお、図８（Ｃ）に示した素材リスト画面の下端部には、詩歌作成投稿処理を終了させるための「終了」ボタンと、素材の選択入力が完了した場合に操作される「ＯＫ」ボタンとが表示され、これらに対する操作も受け付けられる。
【００７１】
図８（Ｃ）に示す素材リストが表示された後、制御部３０２は、表示部３０５Ｄに表示した当該素材リストを通じて、使用者からの素材の選択指示を受け付ける処理を行う（ステップＳ１０８）。ステップＳ１０８においては、表示された素材リストにおいて、目的とする素材（地理語、季語、特有の表現）の表示位置を指などでタップ操作することにより、目的とする素材が選択できる。図８（Ｃ）に示した素材リスト画面では、地理語としては「横浜」が、季語としては「凉し」が、特有の表現としては「風渡る」が選択された場合を示している。
【００７２】
ステップＳ１０８の処理の後、制御部３０２は、図８（Ｃ）に示した素材リスト画面において「ＯＫ」ボタンが操作されたか否かを判別する（ステップＳ１０９）。ステップＳ１０９の判別処理において、「ＯＫ」ボタンは操作されていないと判別したときには、「終了」ボタンが操作されたか否かを判別する（ステップＳ１１０）。
【００７３】
ステップＳ１１０の判別処理において、「終了」ボタンは操作されていないと判別したときには、ステップＳ１０８からの処理を行うようにし、図８（Ｃ）に示した素材リスト画面を用いた素材選択受付処理を続行する。ステップＳ１１０の判別処理において、「終了」ボタンが操作されたと判別したときには、図７のステップＳ１２３の終了処理に進む。
【００７４】
ステップＳ１０９の判別処理において、「ＯＫ」ボタンが操作されたと判別したときには、制御部３０２は詩歌形成部３１３を制御し、ステップＳ１０８で受け付けた素材の選択指示により指示された素材を用いた詩歌作成処理を行う（ステップＳ１１１）。ステップＳ１１１において、詩歌形成部３１３は、図９（Ａ）に示す詩歌の作成画面１を表示し、詩歌の作成入力を受け付ける。
【００７５】
図９（Ａ）においては、まず、ステップＳ１０８で選択された地理語、季語、特有の表現が表示され、それらを今回作成する詩歌である俳句の上句、中句、下句のどこに配置するのかの指示を受け付ける。素材の配置は目的とする素材を、上句、中句、下句の内の目的とする欄に引き摺り操作して離すようにする操作（ドラッグ・アンド・ドロップ操作）により、素材の配置指示を行える。なお、上句は最初の５文字の部分を意味し、中句は７文字の部分を意味し、下句は後の５文字の部分を意味している。
【００７６】
図９（Ａ）に示した作成画面１においては、地理語の「横浜」は中句に、季語の「凉し」は上句に、特有の表現の「風渡る」は下句に配置された場合を示している。そして、携帯端末３の使用者は、必要に応じて、上句、中句、下句のそれぞれごとに、表示部３０５Ｄに表示されるソフトウェアキーボードを通じて、不要な文字を削除したり、必要な文字を補ったりして、俳句を完成させる。
【００７７】
なお、選択した地理語、季語、特有の表現の全てを使用しなくてもよく、選択した地理語、季語、特有の表現の１つあるいは２つを用いるようにすることもできる。また、選択した地理語、季語、特有の表現を全く使用しないようにして、詩歌を作成することもできる。もちろん、地理語は必ず使用しなければならないようにチェックをかけることも可能である。
【００７８】
図９（Ａ）に示した作成画面１においては、「涼しさや  横浜の海  風渡る」といった俳句が作成された場合を示している。図９（Ａ）に示した作成画面１には、その上端部に、俳句作成投稿処理を終了させるための「終了」ボタンと、次の処理に進むための「次へ」ボタンが表示され、これらに対する操作も、ステップＳ１１１において受け付けられる。
【００７９】
ステップＳ１１１の処理の後、制御部３０２は、「次へ」ボタンが操作されたか否かを判別する（ステップＳ１１２）。ステップＳ１１２の判別処理において、「次へ」ボタンが操作されていないと判別したときには、制御部３０２は、「終了」ボタンが操作されたか否かを判別する（ステップＳ１１３）。
【００８０】
ステップＳ１１３の判別処理において、「終了」ボタンは操作されていないと判別したときには、ステップＳ１１１からの処理を行うようにし、図９（Ａ）に示した作成画面１を用いた詩歌作成処理を続行する。ステップＳ１１３の判別処理において、「終了」ボタンが操作されたと判別したときには、図７のステップＳ１２３の終了処理に進む。
【００８１】
ステップＳ１１２の判別処理において、「次へ」ボタンが操作されたと判別したときには、図７の処理に進み、チェック要求生成、送信処理を行う（ステップＳ１１４）。ステップＳ１１４においては、図９（Ｂ）に示すように、完成詩歌を表示し、作成場所、作成者の入力欄を備えた詩歌の作成画面２を表示する。そして、完成詩歌をサーバー１に送信して、モーラ（構文）チェック、季語の有無チェック、差別用語検査等の所定のチェックを行うことを要求する。
【００８２】
当該要求に応じて、サーバー１では当該完成詩歌について所定のチェックを行い、そのチェック結果を送信してくる。携帯端末３は無線通信部３０１を通じて、サーバー１からのチェック結果を受信し、詩歌形成部３１３の機能によりチェック結果を表示部３０５Ｄに表示して、修正変更を受け付ける処理を行う（ステップＳ１１５）。なお、修正が必要ない場合には、ステップＳ１１５においては特に処理が行われることはない。
【００８３】
ステップＳ１１５の処理の後、制御部３０２は、詩歌形成部３１３を制御し、図９（Ｂ）に示した作成画面２を通じて、補助情報受付処理を行う（ステップＳ１１６）。具体的に、ステップＳ１１６においては、作成場所と作成者の入力が受け付けられる。作成場所については、ＧＰＳ部３０７からの現在位置を示す緯度経度に応じた地名をサーバー１から提供を受けて表示したり、当該緯度経度に対応した地名等が予め記憶装置３０３に登録されているときには当該登録情報を表示したりできる。また、作成者は、直接入力したり、また、予め記憶装置３０３に登録されているものがあれば、これを表示したりできる。
【００８４】
また、図９（Ｂ）に示した作成画面２には、その上端部に、俳句作成投稿処理を終了させるための「終了」ボタンと、詩歌の作成が完了した場合に操作される「ＯＫ」ボタンが表示され、これらに対する操作も、ステップＳ１１６において受け付けられる。
【００８５】
ステップＳ１１６の処理の後、制御部３０２は、「ＯＫ」ボタンが操作されたか否かを判別する（ステップＳ１１７）。ステップＳ１１７の判別処理において、「ＯＫ」ボタンが操作されていないと判別したときには、制御部３０２は、「終了」ボタンが操作されたか否かを判別する（ステップＳ１１８）。
【００８６】
ステップＳ１１８の判別処理において、「終了」ボタンは操作されていないと判別したときには、ステップＳ１１６からの処理を行うようにし、図９（Ｂ）に示した作成画面２を用いた補助情報受付処理を続行する。ステップＳ１１８の判別処理において、「終了」ボタンが操作されたと判別したときには、ステップＳ１２３の終了処理に進む。
【００８７】
ステップＳ１１７の判別処理において、「ＯＫ」ボタンが操作されたと判別したときには、詩歌形成部３１３を制御し、投稿指示受付処理を実行する（ステップＳ１１９）。ステップＳ１１９において、詩歌形成部３１３は、図９（Ｃ）に示す投稿画面を表示して、作成した詩歌を所定の投稿先に投稿することの指示入力を受け付ける。図９（Ｃ）では、携帯端末３の使用者がユーザー登録しているＳＮＳや投稿サイトに投稿するための「投稿」ボタンＢ１〜Ｂ３が表示され使用者が選択可能にされる。また、「終了」ボタンＢ４も表示され使用者が選択可能にされる。
【００８８】
そして、ステップＳ１１９の処理の後、詩歌形成部３１３は、この実施の形態では「投稿」ボタンＢ１〜Ｂ３が操作されたか否かを判別する（ステップＳ１２０）。ステップＳ１２０の判別処理において、「投稿」ボタンＢ１〜Ｂ３が操作されたと判別したときには、操作された「投稿」ボタンＢ１〜Ｂ３に応じた投稿先に作成した詩歌、この例の場合には俳句を投稿する（ステップＳ１２１）。ステップＳ１２１の処理の後においては、詩歌形成部３１３はステップＳ１１９からの処理を繰り返し、他の投稿先への投稿も引き続きできる。
【００８９】
ステップＳ１２０の判別処理において、「投稿」ボタンＢ１〜Ｂ３が操作されていないと判別したときには、詩歌形成部３１３は、「終了」ボタンＢ４が操作されたか否かを判別する（ステップＳ１２２）。ステップＳ１２２の判別処理において、「終了」ボタンＢ４は操作されていないと判別したときには、ステップＳ１１９からの処理を行うようにし、図９（Ｃ）に示した投稿が面を用いた投稿指示受付処理を続行する。ステップＳ１２２の判別処理において、「終了」ボタンが操作されたと判別したときには、ステップＳ１２３の終了処理に進む。
【００９０】
すなわち、ステップＳ１０４、ステップＳ１１０、ステップＳ１１３、ステップＳ１１８、ステップＳ１２２のそれぞれにおいて、詩歌作成投稿処理の終了が指示されたと判別したとする。この場合、制御部３０２は、サーバー１との間に接続した通信路を解放したり、図８、図９に示した表示画面を消去して、詩歌作成投稿処理の実行前の表示画面に戻したりするなどの所定の終了処理を行う（ステップＳ１２３）。この後、制御部３０２は、図６、図７に示した詩歌作成投稿処理を終了する。
【００９１】
このように、この実施の形態の携帯端末３は、サーバー１と協働し、既存の詩歌を解析することにより得られた地理語、季語、特有の表現を利用して、簡単に目的の詩歌を作成し、更に、投稿場所などの情報を付加して、目的とする投稿先に投稿できる。投稿した詩歌には、地理語や投稿場所などの場所に関する情報が付加されているので、携帯端末の使用者の所在地を他者に通知するツールとして利用できる。
【００９２】
また、いわゆるチェックイン機能の利用開始のトリガーとして利用できる。すなわち、詩歌の投稿を受けたＳＮＳや投稿サイトにおいて、地理語や投稿場所に応じた地図を携帯端末３の使用者に提供し、所在位置をマークして、投稿した詩歌の関連情報として更に投稿するなどのことが可能となる。
【００９３】
［サーバー１の処理］
次に、上述した構成のサーバー１で実行される詩歌作成支援処理について説明する。図１０は、詩歌作成支援処理を説明するためのフローチャートである。図１０に示す処理は、サーバー１の制御部１０２において常時実行されている処理である。制御部１０２は、通信Ｉ／Ｆ１０１を通じて、常時、携帯端末３からの自機宛てのアクセスを受信するようにしている（ステップＳ２０１）。制御部１０２は、携帯端末３からの自機宛てのアクセスを受信したか否かを判別し（ステップＳ２０２）、受信していないと判別したときには、ステップＳ２０１からの処理を繰り返す。
【００９４】
ステップＳ１０２の判別処理において、携帯端末３からの自機宛てのアクセスを受信したと判別したときには、詩歌作成投稿処理用の入力画面などの必要な情報をアクセス元の携帯端末３に提供する（ステップＳ２０３）。この後、サーバー１の制御部１０２は、アクセス元の携帯端末３からの種々の要求を受信するようにし（ステップＳ２０４）、携帯端末３からの要求を受け付けたか否かを判別する（ステップＳ２０５）。ステップＳ２０５の判別処理にいて、携帯端末３からの要求を受け付けていないと判別したときには、ステップＳ２０４からの処理を繰り返す。
【００９５】
ステップＳ２０５の判別処理において、携帯端末３からの要求を受信したと判別したときには、制御部１０２は、受信した要求は、素材提供要求か否かを判別する（ステップＳ２０６）。ステップＳ２０６の判別処理において、受信した要求が素材提供要求であると判別したときには、制御部１０２は、作成条件取得部１０８と素材抽出部１０９を制御して、素材リスト生成、送信処理を実行する（ステップＳ２０７）。ステップＳ２０７の処理の後において、ステップＳ２０４からの処理を繰り返す。
【００９６】
具体的に、ステップＳ２０７において制御部１０２は、作成条件取得部１０８を制御して、受信した素材提供要求（図４）から作成条件を取得（抽出）して、素材抽出部１０９に提供する。次に、制御部１０２は、素材抽出部１０９を制御して、取得した作成条件に応じて、地理語ＤＢ１０４、季語ＤＢ１０５、表現ＤＢ１０６から詩歌の素材を抽出し、これを要求元の携帯端末３に送信する。
【００９７】
なお、素材抽出部１０９は、作成条件の詩歌種別に応じた詩歌に用いられていた素材であること、作成条件の文体種別に応じた文体の素材であることを条件にする。さらに、地理語の場合には、作成条件の住所等と緯度経度に合致したものであることを条件とする。また、特殊な表現の場合には、作成条件の季節やテーマに合致したものであることを条件とする。また、季語の場合には、詩歌種別が俳句であり、かつ、季節、テーマ、住所や緯度経度、テーマに合致したものであることを条件とする。
【００９８】
もちろん、このような条件は一例であり、地理語についても、季節やテーマに合致したものを抽出できる。なお、テーマの利用の仕方については、例えば、テーマについても予め決められた中から選択可能にしておく。そして、各素材についても、当該予め決められたテーマを対応付けておく。このようにすれば、テーマに応じた素材の選択が可能となる。また。テーマを自由入力とすることも可能である。この場合でも、各素材についても、想定されるテーマを対応付けておく。そして、入力されたテーマに合致するテーマが対応付けられている素材を抽出する構成とすることも可能である。
【００９９】
また、ステップＳ２０６の判別処理において、受信した要求が素材提供要求ではないと判別したときには、制御部１０２は、受信した要求はチェック要求か否かを判別する（ステップＳ２０８）。ステップＳ２０８の判別処理において、受信した要求がチェック要求であると判別したとする。この場合、制御部１０２は、チェック処理部１１０を制御して、チェック要求に含まれる詩歌について、モーラチェック、季語チェック、差別用語検査などの所定のチェック処理を行い、そのチェック結果を要求元の携帯端末３に送信する（ステップＳ２０９）。この後、ステップＳ２０４からの処理を繰り返す。
【０１００】
また、ステップＳ２０８の判別処理において、受信した要求がチェック要求ではないと判別したときには、制御部１０２は、受信した要求は終了要求か否かを判別する（ステップＳ２１０）。ステップＳ２１０の判別処理において、受信した要求が終了要求であると判別したとする。この場合、制御部１０２は、要求元の携帯端末３との間の通信路を解放するなどの所定の終了処理を実行し（ステップＳ２１１）、この後、ステップＳ２０１からの処理を繰り返す。
【０１０１】
また、ステップＳ２１０の判別処理において、受信した要求が終了要求ではないと判別したときには、制御部１０２は、受信した要求に応じた処理を実行し（ステップＳ２１２）、ステップＳ２０４からの処理を繰り返す。このステップＳ２１２においては、例えば、地名情報を含む緯度経度の提供要求の場合には、地名情報に応じて、地図ＤＢ１１１を参照し、合致する地名の緯度経度を取得して、要求元の携帯端末３に返信するなどの処理が行われる。この他にも、要求に応じて、地図情報を提供するなどの処理も行われる。
【０１０２】
このようにして、サーバー１は、携帯端末３からの要求に応じて、詩歌を作成するための支援処理を行う。なお、ここでは、説明を省略したが、詩歌の作成支援処理に先だって、サーバー１においては、ＤＢ形成部１０７の機能により、上述もしたように、インターネット上に開示されている既存の詩歌を解析し、地理語ＤＢ１０４、季語ＤＢ１０５、表現ＤＢ１０６を形成し、整える処理も行われている。また、地理語ＤＢ１０４、季語ＤＢ１０５、表現ＤＢ１０６を整える処理は、定期的に繰り返し行われ、地理語、季語、特殊な表現が豊富に収集され、蓄積される。
【０１０３】
［実施の形態のまとめと効果］
サーバー１においては、既存の「俳句」、「川柳」、「短歌」といった詩歌を、形態素解析等を含む解析処理を通じて、地理語、季語、特有の表現を抽出し、ＴＰＯに合わせてＤＢ化して蓄積している。
【０１０４】
携帯端末３では、モード選択（俳句、川柳、短歌の別）、文体選択（口語体、文語体、口語体と文語体の混合体の別）、テーマ、ジャンルの選択が可能にされ、また、季節、時間、場所（位置情報）は自動取得したり、使用者が入力したりできる。
【０１０５】
そして、携帯端末３では、使用者がテーマに合わせたキーワードを入力すると、季節、時間、場所（位置情報）を含めた（ＴＰＯに関する情報を含めた）、素材提供要求をサーバー１に送信し、サーバー１から提供される地理語、季語、特有の表現のリスト化して表示する。携帯端末３の使用者は、リストから選択して、あるいは、自由に入力編集して、俳句、川柳、短歌といった詩歌を作成できる。
【０１０６】
そして、必要に応じて、モーラ（構文）チェック、季語の有無チェック、差別用語検査を行なって、投稿するのに適した詩歌を作成できる。また、どこで詠んだかを緯度経度から判断して自動で付加したり、使用者自身が入力したりできる。このようにして作成した詩歌を、使用者が参加しているＳＮＳ、チェット、サイトに簡単に投稿できる。
【０１０７】
このように、上述した詩歌作成支援システムの場合には、俳句、川柳、短歌といった詩歌を作成する場合に、文語体、口語体に拘わらず、地理語により場所（位置情報）を織り込んだ表現やどこで詠んだのかの情報を補完する機能を持つ投稿用アプリケーションが実現できる。これにより、携帯端末３の使用者についての位置情報を、詩歌を利用して投稿して通知できる。すなわち、趣向を凝らした風流なチェックイン機能を実現でき、チェックイン機能の利用促進を図ることなどができる。
【０１０８】
また、ＳＮＳやいわゆる無料通話アプリケーションにおけるチェット風メールには文字制限があり、一行で表現できる世界最短の定型詩である俳句や川柳の投稿先としては好都合の基盤といえる。若干文字数が増えるものの、短歌の投稿先としても同様である。すなわち、ＳＮＳなどの文字制限のある投稿先に対して投稿する場合に好適なツールを、この発明は提供できる。
【０１０９】
新聞、雑誌などの俳句や川柳の読者投稿欄は人気が有ることからも分かるように、俳句、川柳、短歌といった詩歌の作成ツールは、シニア層に違和感なく利用してもらえるツールである。若年層でも俳句と短歌は義務教育で学習しているため、この発明のような作成ツールを通じて、若年層への普及も期待できる。従って、広く一般に、現在位置などの場所情報を含む詩歌の投稿を促進でき、場所に紐付けられた情報の提供などをより広く行えるようにできる。
【０１１０】
［変形例等］
なお、上述した実施の形態では、俳句を作成して投稿する場合を例にして説明したが、川柳や短歌を作成して投稿する場合にも同様にして、作成、投稿の支援ができる。なお、短歌の場合には、「５−７−５−７−７」の形式に入力欄が設けられ、各欄への入力が行われるようにされることになる。
【０１１１】
また、上述した実施の形態では、日本語で詩歌を作成して投稿する場合を例にして説明した。しかし、外国語で詩歌を作成して投稿する場合にも、この発明を適用できる。簡単には、地理語ＤＢ１０４、季語ＤＢ１０５、表現ＤＢ１０６を目的とする言語により作成しておくようにすればよい。このようにすれば、外国語で詩歌を作成する場合にも、同様に対応できる。もちろん、作成条件の入力画面（図８）や詩歌の作成画面や投稿画面（図９）も、目的とする外国語に応じたものとなる。
【０１１２】
また、詩歌には、上述もしたように、韻を踏むようにして作成した詩であるヒップホップ（ラップ）が含まれる。このため、図８（Ａ）に示したように、作成する詩歌の種別の１つに「ヒップホップ（ラップ）」を加えておく。図８（Ａ）において、「５．ヒップホップ（ラップ）」が選択された場合には、文体の選択に替えて、言語（日本語、英語、中国語など）の選択を受け付ける。なお、図８（Ｂ）に示した入力画面２の構成は大きく変わることはない。
【０１１３】
そして、図８（Ｃ）に示した例のように、季語リストの表示欄は存在しないが、上述した俳句を作成する場合と同様にして、地理語リストや特有の表現リストを表示して選択可能にする。この場合の地理語リストや特有の表現リストには、韻を踏むのに適した地理語や特有の表現、すなわち、似た言葉や語尾が同じ言葉が多く含められる。すなわち、ヒップホップ（ラップ）用の地理語ＤＢ１０４や表現ＤＢ１０６には、既存のヒップホップ（ラップ）を解析することにより集められた似た言葉や語尾が同じ言葉が豊富に蓄積される。
【０１１４】
この後、図９（Ａ）に示したように、上句、中句、下句の入力欄ではなく、複数行の入力欄を設けて、この複数行の入力欄に地理語や特有の表現は配置する。そして、入力欄に配置された地理語や特有の表現を利用し、さらに文言を補うようにしてヒップホップ（ラップ）を作成できる。このようにして作成したヒップホップ（ラップ）についても、所定の投稿先に投稿できることは上述した通りである。
【０１１５】
ヒップホップ（ラップ）は、十代、二十代の若者に広く受け入れられており、ヒップホップ（ラップ）を作成して投稿できるこの発明は、俳句、川柳、短歌といった詩歌に馴染みの無い若者層の投稿を増やすことに貢献できる。すなわち、この発明は、年代、性別に拘わり無く、広く一般の使用者が利用可能なツールとなる。
【０１１６】
また、詩歌は俳句、川柳、短歌、これらを外国語で作成したもの、さらにヒップホップ（ラップ）であるものとして説明したが、これに限るものではない。比較的に短い自由詩を作成して投稿する場合にも、この発明を適用できる。
【０１１７】
また、上述した実施の形態では、携帯端末３を用いるものとして説明したが、これに限るものではない。家庭などに固定的に設置されて利用されるデスクトップ型のパーソナルコンピュータを用いて詩歌を作成して投稿する場合にも、この発明は適用できる。
【０１１８】
また、上述した実施の形態の詩歌作成支援システムでは、地理語と季語と特有の表現に付いて、素材リストの提供を受けるものとして説明したが、少なくとも地理語の素材リストの提供を受けるだけでももちろんよい。また、地理語と季語の素材リストの提供を受けたり、地理語と特有の表現の素材リストの提供を受けたりすることも可能である。
【０１１９】
［その他］
なお、上述した実施の形態の説明からも分かるように、サーバー装置地理語データベースの機能は、サーバー１の地理語ＤＢ１０４が実現し、サーバー装置の地理語提供要求受信手段と地理語送信手段の機能は、主に通信Ｉ／Ｆ１０１が実現している。
【０１２０】
また、端末装置の場所情報取得手段の機能は、携帯端末３のＧＰＳ部３０７やタッチパネル３０６が実現し、地理語提供要求送信手段の機能は、携帯端末３の素材提供要求生成部３１１と無線通信部３０１が実現している。また、端末装置の地理語リスト受信手段の機能は、携帯端末３の主に無線通信部３０１が実現し、地理語表示制御手段の機能は、携帯端末３の素材リスト表示処理部３１２が実現している。また、携帯端末の形成手段の機能は、携帯端末３の詩歌形成部３１３が実現し、端末装置の投稿手段は、携帯端末３の詩歌形成部３１３と無線通信部３０１が実現している。
【０１２１】
また、端末装置の付加手段の機能は、携帯端末３の詩歌形成手段が実現している。また、サーバー装置の季語データベース、表現データベースの機能は、サーバー１の季語ＤＢ１０５、表現ＤＢ１０６が実現している。また、サーバー装置の季語提供要求受信手段、表現提供要求受信手段の機能は、主に通信Ｉ／Ｆ１０１及び制御部１０２が実現している。また、サーバー装置の季語送信手段、表現送信手段の機能は、素材抽出部１０９と通信Ｉ／Ｆ１０１が実現している。
【０１２２】
また、端末装置の季語情報取得手段、季語情報提供要求手段、季語リスト受信手段、季語表示制御手段の各機能は、携帯端末３の素材提供要求生成部３１１と無線通信部３０１、無線通信部３０１と制御部３０２、素材リスト表示処理部３１２が実現している。同様に、端末装置の表現情報取得手段、表現情報提供要求手段、表現リスト受信手段、表現表示制御手段の各機能は、携帯端末３の素材提供要求生成部３１１と無線通信部３０１、無線通信部３０１と制御部３０２、素材リスト表示処理部３１２が実現している。
【符号の説明】
【０１２３】
１…詩歌作成支援サーバー装置、１０１…通信Ｉ／Ｆ、１０２…制御部、１０３…記憶装置、１０４…地理語ＤＢ、１０５…季語ＤＢ、１０６…表現ＤＢ、１０７…ＤＢ作成部、１０８…作成条件取得部、１０９…素材抽出部、１１０…チェック処理部、１１１…地図ＤＢ、１１２…歳時記ＤＢ、２…ネットワーク、３…携帯端末、３０１…無線通信部、３０１Ａ…送受信アンテナ、３０２…制御部、３０３…記憶装置、３０４…操作部、３０５Ｄ…表示部、３０５Ｓ…タッチセンサ、３０６…タッチパネル、３０７…ＧＰＳ部、３０７Ａ…ＧＰＳアンテナ、３０８…時間情報提供部、３１１…素材提供要求形成部、３１２…素材リスト表示制御部、３１３…詩歌形成部
【図１】
2015158820.tif 000003
【図２】
2015158820.tif 000004
【図３】
2015158820.tif 000005
【図４】
2015158820.tif 000006
【図５】
2015158820.tif 000007
【図６】
2015158820.tif 000008
【図７】
2015158820.tif 000009
【図８】
2015158820.tif 000010
【図９】
2015158820.tif 000011
【図１０】
2015158820.tif 000012